【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
内部データを印刷する印刷装置に接続され、ユーザが画像データやテキストデータからなるコンテンツの製本化を製本サービス提供者に依頼する製本発注システムであって、
前記ユーザが作成したコンテンツを読み込むデータ入力部と、
読み込んだ前記コンテンツからユーザの指示に基づいて製本する前記コンテンツを選定し、選定した前記コンテンツに予め設定されている画像データや前記ユーザが入力したテキストデータを追加し前記コンテンツの製本時のページ配置順を設定して製本素材データとして１つのファイルに集約するデータ編集部と、
前記ユーザが前記製本サービス提供者に依頼するための製本発注書を画面上に生成し、前記製本素材データに含まれる前記コンテンツの縮小画像を前記製本発注書上へ表示する製本発注書生成部と、
前記製本素材データに含まれる前記コンテンツ及び前記製本発注書を前記印刷装置を介して印刷するデータ出力部と、
を備えたことを特徴とする製本発注システム。
【請求項２】
内部データを印刷する印刷装置に接続され、ユーザが画像データやテキストデータからなるコンテンツの製本化を製本サービス提供者に依頼する製本発注システムであって、
前記ユーザが作成したコンテンツを読み込むデータ入力部と、
読み込んだ前記コンテンツからユーザの指示に基づいて製本する前記コンテンツを選定し、選定した前記コンテンツに予め設定されている画像データや前記ユーザが入力したテキストデータを追加し、前記コンテンツの製本時のページ配置順を設定して製本素材データとして１つのファイルに集約するデータ編集部と、
前記製本素材データに含まれる前記コンテンツに識別記号を付与する識別記号付与部と、
前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、
前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、
を備えたことを特徴とする製本発注システム。
【請求項３】
ネットワークと接続するデータ送信部を更に備え、 前記データ送信部は、 前記製本発注書を、前記ネットワークを介して前記製本サービス提供者の製本サービス提供端末に送信することを特徴とする請求項１又は２に記載の製本発注システム。
【請求項４】
前記データ編集部は、ネットワークと接続しており、前記ネットワークを介して前記製本サービス提供者の製本サービス提供端末から画像データを受信して予め設定されている画像データに加えることを特徴とする請求項１又は２に記載の製本発注システム。
【請求項５】
内部データを印刷する印刷装置を利用しユーザが画像データやテキストデータからなるコンテンツの製本化を製本サービス提供者に依頼する製本発注方法であって、
前記ユーザが作成したコンテンツを読み込む過程と、
読み込んだ前記コンテンツから前記ユーザの指示に基づいて製本する前記コンテンツを選定する過程と、
選定した前記コンテンツに前記ユーザの指示に基づいて予め設定されている画像データや前記ユーザが入力したテキストデータを追加する過程と、
前記ユーザの指示に基づいて前記コンテンツの製本時のページ配置順を設定する過程と、
製本化する前記コンテンツを製本素材データとして１つのファイルに集約する過程と、
前記ユーザが前記製本サービス提供者に依頼するための製本発注書を画面上に生成する過程と、
前記製本素材データに含まれる前記コンテンツの縮小画像を前記製本発注書上へ表示する過程と、
前記製本素材データに含まれる前記コンテンツ及び前記製本発注書を前記印刷装置を介して出力する過程と、 からなることを特徴とする製本発注方法。
【請求項６】
内部データを印刷する印刷装置を利用しユーザが画像データやテキストデータからなるコンテンツの製本化を製本サービス提供者に依頼する製本発注方法であって、
前記ユーザが作成したコンテンツを読み込む過程と、
読み込んだ前記コンテンツから前記ユーザの指示に基づいて製本する前記コンテンツを選定する過程と、
選定した前記コンテンツに前記ユーザの指示に基づいて予め設定されている画像データや前記ユーザが入力したテキストデータを追加する過程と、
前記ユーザの指示に基づいて前記コンテンツの製本時のページ配置順を設定する過程と、
製本化する前記コンテンツを製本素材データとして１つのファイルに集約する過程と、
前記製本素材データに含まれる前記コンテンツに識別記号を付与する過程と、
前記ユーザが前記製本サービス提供者に依頼するための製本発注書を画面上に生成する過程と、
前記製本素材データに含まれる前記コンテンツの縮小画像と前記コンテンツに付与された前記識別記号を前記製本発注書上へ表示する過程と、
前記製本素材データに含まれる前記コンテンツ及び付与された前記識別記号を同一の印刷媒体上に前記印刷装置を介して印刷する過程と、
前記製本発注書を前記印刷装置を介して印刷する過程と、 からなることを特徴とする製本発注方法。
【請求項７】
内部データを印刷する印刷装置に接続されユーザが画像データやテキストデータからなるコンテンツの製本化を製本サービス提供者に依頼する製本発注システムのコンピュータに、 前記ユーザが作成したコンテンツを読み込む手順、
読み込んだ前記コンテンツから、前記ユーザの指示に基づいて、製本する前記コンテンツを選定する手順、
選定した前記コンテンツに前記ユーザの指示に基づいて予め設定されている画像データや前記ユーザが入力したテキストデータを追加する手順、
前記ユーザの指示に基づいて前記コンテンツの製本時のページ配置順を設定する手順、
製本化する前記コンテンツを製本素材データとして１つのファイルに集約する手順、
前記ユーザが前記製本サービス提供者に依頼するための製本発注書を画面上に生成する手順、
前記製本素材データに含まれる前記コンテンツの縮小画像を前記製本発注書上へ表示する手順、
前記製本素材データに含まれる前記コンテンツ及び前記製本発注書を前記印刷装置を介して出力する手順、 を実行させるコンピュータプログラム。
【請求項８】
内部データを印刷する印刷装置に接続されユーザが画像データやテキストデータからなるコンテンツの製本化を製本サービス提供者に依頼する製本発注システムのコンピュータに、 前記ユーザが作成したコンテンツを読み込む手順、
読み込んだ前記コンテンツから前記ユーザの指示に基づいて、製本する前記コンテンツを選定する手順、
選定した前記コンテンツに前記ユーザの指示に基づいて予め設定されている画像データや前記ユーザが入力したテキストデータを追加する手順、
前記ユーザの指示に基づいて前記コンテンツの製本時のページ配置順を設定する手順、
製本化する前記コンテンツを製本素材データとして１つのファイルに集約する手順、 
前記製本素材データに含まれる前記コンテンツに識別記号を付与する手順、
前記ユーザが前記製本サービス提供者に依頼するための製本発注書を画面上に生成する手順、
前記製本素材データに含まれる前記コンテンツの縮小画像と前記コンテンツに付与された前記識別記号を前記製本発注書上へ表示する手順、
前記製本素材データに含まれる前記コンテンツ及び付与された前記識別記号を同一の印刷媒体上に前記印刷装置を介して印刷する手順、
前記製本発注書を前記印刷装置を介して印刷する手順、 を実行させるコンピュータプログラム。
【請求項９】
内部データを印刷する印刷装置に接続されユーザが画像データやテキストデータからなるコンテンツの製本化を製本サービス提供者に依頼する製本発注装置と、前記製本サービス提供者が受取った前記コンテンツを製本化する製本装置と、を備えた製本システムであって、
前記製本発注装置は、前記ユーザが作成したコンテンツを読み込むデータ入力部と、
読み込んだ前記コンテンツからユーザの指示に基づいて製本する前記コンテンツを選定し、選定した前記コンテンツに予め設定されている画像データや前記ユーザが入力したテキストデータを追加し前記コンテンツの製本時のページ配置順を設定して製本素材データとして１つのファイルに集約するデータ編集部と、
前記製本素材データに含まれる前記コンテンツに識別記号を付与する識別記号付与部と、
前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、
前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、 を備え、
前記製本装置は前記コンテンツ及び前記識別記号が印刷された複数の前記印刷媒体を取り込む手段と、
前記製本発注書を入力として読み取る手段と、
前記製本発注書の前記識別記号と前記印刷媒体に印刷されている前記識別記号から、一致する前記識別記号を検出して、前記印刷媒体を前記コンテンツのページ配置順に従って製本化する手段と、を備えたことを特徴とする製本システム。 
【手続補正２】
【補正対象書類名】明細書
【補正対象項目名】０００５
【補正方法】変更
【補正の内容】
【０００５】
上述した課題を解決するために、本発明は、内部データを印刷する印刷装置に接続され、ユーザが画像データやテキストデータからなるコンテンツの製本化を製本サービス提供者に依頼する製本発注システムであって、前記ユーザが作成したコンテンツを読み込むデータ入力部と、読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、前記製本素材データに含まれる前記コンテンツに識別記号を付与する識別記号付与部と、前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、を備えたことを特徴とする製本発注システムである。
【手続補正３】
【補正対象書類名】明細書
【補正対象項目名】０００６
【補正方法】変更
【補正の内容】
【０００６】
本発明であって、ネットワークと接続するデータ送信部を更に備え、前記データ送信部は、前記製本発注書を、前記ネットワークを介して前記製本サービス提供者の製本サービス提供端末に送信することを特徴とする。
【手続補正４】
【補正対象書類名】明細書
【補正対象項目名】０００７
【補正方法】変更
【補正の内容】
【０００７】
本発明であって、前記データ編集部は、ネットワークと接続しており、前記ネットワークを介して前記製本サービス提供者の製本サービス提供端末から画像データを受信して予め設定されている画像データに加えることを特徴とする。
【手続補正５】
【補正対象書類名】明細書
【補正対象項目名】０００８
【補正方法】変更
【補正の内容】
【０００８】
本発明は、内部データを印刷する印刷装置を利用し、ユーザが画像データやテキストデータからなるコンテンツの製本化を製本サービス提供者に依頼する製本発注方法であって、前記ユーザが作成したコンテンツを読み込む過程と、読み込んだ前記コンテンツから、前記ユーザの指示に基づいて、製本する前記コンテンツを選定する過程と、選定した前記コンテンツに、前記ユーザの指示に基づいて、予め設定されている画像データや前記ユーザが入力したテキストデータを追加する過程と、前記ユーザの指示に基づいて、前記コンテンツの製本時のページ配置順を設定する過程と、製本化する前記コンテンツを製本素材データとして１つのファイルに集約する過程と、前記製本素材データに含まれる前記コンテンツに識別記号を付与する過程と、前記ユーザが前記製本サービス提供者に依頼するための製本発注書を画面上に生成する過程と、前記製本素材データに含まれる前記コンテンツの縮小画像と前記コンテンツに付与された前記識別記号を前記製本発注書上へ表示する過程と、前記製本素材データに含まれる前記コンテンツ及び付与された前記識別記号を同一の印刷媒体上に前記印刷装置を介して印刷する過程と、前記製本発注書を前記印刷装置を介して印刷する過程と、からなることを特徴とする製本発注方法である。
【手続補正６】
【補正対象書類名】明細書
【補正対象項目名】０００９
【補正方法】変更
【補正の内容】
【０００９】
本発明は、内部データを印刷する印刷装置に接続され、ユーザが画像データやテキストデータからなるコンテンツの製本化を製本サービス提供者に依頼する製本発注システムのコンピュータに、前記ユーザが作成したコンテンツを読み込む手順、読み込んだ前記コンテンツから、前記ユーザの指示に基づいて、製本する前記コンテンツを選定する手順、選定した前記コンテンツに、前記ユーザの指示に基づいて、予め設定されている画像データや前記ユーザが入力したテキストデータを追加する手順、前記ユーザの指示に基づいて、前記コンテンツの製本時のページ配置順を設定する手順、製本化する前記コンテンツを製本素材データとして１つのファイルに集約する手順、前記製本素材データに含まれる前記コンテンツに識別記号を付与する手順、前記ユーザが前記製本サービス提供者に依頼するための製本発注書を画面上に生成する手順、前記製本素材データに含まれる前記コンテンツの縮小画像と前記コンテンツに付与された前記識別記号を前記製本発注書上へ表示する手順、前記製本素材データに含まれる前記コンテンツ及び付与された前記識別記号を同一の印刷媒体上に前記印刷装置を介して印刷する手順、前記製本発注書を前記印刷装置を介して印刷する手順、を実行させるコンピュータプログラムである。
【手続補正７】
【補正対象書類名】明細書
【補正対象項目名】００１０
【補正方法】変更
【補正の内容】
【００１０】
本発明は、内部データを印刷する印刷装置に接続され、ユーザが画像データやテキストデータからなるコンテンツの製本化を製本サービス提供者に依頼する製本発注装置と、前記製本サービス提供者が受取った前記コンテンツを製本化する製本装置と、を備えた製本システムであって、前記製本発注装置は、前記ユーザが作成したコンテンツを読み込むデータ入力部と、読み込んだ前記コンテンツから、ユーザの指示に基づいて、製本する前記コンテンツを選定し、選定した前記コンテンツに、予め設定されている画像データや前記ユーザが入力したテキストデータを追加し、前記コンテンツの製本時のページ配置順を設定して製本素材データとして１つのファイルに集約するデータ編集部と、前記製本素材データに含まれる前記コンテンツに識別記号を付与する識別記号付与部と、前記ユーザが前記製本サービス提供者に依頼するための製本発注書を画面上に生成し、前記製本素材データに含まれる前記コンテンツの縮小画像と前記コンテンツに付与された前記識別記号を前記製本発注書上へ表示する製本発注書生成部と、前記製本素材データに含まれる前記コンテンツ及び付与された前記識別記号を同一の印刷媒体上に前記印刷装置を介して印刷し、また、前記製本発注書を前記印刷装置を介して印刷するデータ出力部と、を備え、前記製本装置は、前記コンテンツ及び前記識別記号が印刷された複数の前記印刷媒体を取り込む手段と、前記製本発注書を入力として読み取る手段と、前記製本発注書の前記識別記号と前記印刷媒体に印刷されている前記識別記号から、一致する前記識別記号を検出して、前記印刷媒体を前記コンテンツのページ配置順に従って製本化する手段と、を備えたことを特徴とする製本システムである。
【手続補正８】
【補正対象書類名】明細書
【補正対象項目名】００１１
【補正方法】変更
【補正の内容】
【００１１】
以上説明したように、この発明によれば、ネットワーク経由で送付する製本発注書に縮小されたコンテンツを表示し、その縮小されたコンテンツ毎に識別記号を表示している。また、製本素材を印刷する場合にも素材毎に対応する識別記号を表示する構成になっている。それによって、製本業者は、ネットワーク経由で受信した製本発注書に表示された識別記号と製本素材に印刷された識別記号を製本装置等で読み取り、大量のコンテンツが不揃いになっていても製本のページ配置順に従って自動的に製本化の作業を進めることができるという効果がある。